(57)【要約】【課題】缶容器に対するオーバーキャップ構造の物品収納キャップの組付きを安定に維持すると共に、このキャップの内外に圧力差を発生させないようにし、もって作用する圧下荷重に対して、収納した物品を安全に保護すると共に、缶容器とキャップとの組合せ物および組付いたキャップ単体の良好な取扱いのし易さを維持することを目的とする。【解決手段】缶容器１１に被嵌状に組付けられる有頂円筒形状の物品収納キャップ１であって、缶容器１１の周リブ１４の外径よりも僅かに大きい内径の筒壁２の内周面下端部に、周リブ１４に乗り越え係止する複数の係止突片５を等間隔に設け、係止突片５の直上に、係止突片５が周リブ１４に係止した状態で、周リブ１４の上面に下端面９を当接させ、大きな耐荷重強度を発揮する太さ寸法を有する縦突条状の支柱片８を設けて構成し、収納した物品を安全に収納保持する。【選択図】              図４
2004237998.tif 000002
【特許請求の範囲】
【請求項１】
円筒状の缶容器（１１）のカシメ固定されたカシメ頭部（１３）に被嵌状に着脱し、物品（１０）を収納する有頂円筒形状をした合成樹脂製一体成形物である物品収納キャップ（１）であって、前記カシメ頭部（１３）の周端に形成された周リブ（１４）の外径よりも僅かに大きい内径を有する筒壁（２）の内周面下端部に、前記周リブ（１４）に、乗り越えて下方から係止する複数の係止突片（５）を、周方向に沿って等間隔に設け、該係止突片（５）の直上となる筒壁（２）の内周面の全高さ範囲に亘って、前記係止突片（５）が周リブ（１４）に係止した状態で、該周リブ（１４）の上面に下端面（９）を当接させ、大きな耐荷重強度を発揮する太さ寸法を有する複数の縦突条状の支柱片（８）を、周方向に沿って等間隔に設けた缶容器用物品収納キャップ。
【請求項２】
支柱片（８）を、各係止突片（５）に対峙させて設けた請求項１記載の缶容器用物品収納キャップ。
【請求項３】
支柱片（８）の下端面（９）を、着脱方向に直交する平坦面とした請求項１または２記載の缶容器用物品収納キャップ。
【請求項４】
支柱片（８）の筒壁（２）内周面からの突出高さを、周リブ（１４）の上面が当接する前記支柱片（８）の下端面（９）の箇所が、該下端面（９）の中央から外側部分となる値に設定した請求項１、２または３記載の缶容器用物品収納キャップ。
【請求項５】
筒壁（２）と頂壁（３）との連設部分である角部（４）を、円弧状に角取りしたアール構造とした請求項１、２、３または４記載の缶容器用物品収納キャップ。
【請求項６】
装着状態で、周リブ（１４）の外周面に当接する係止突片（５）の上テーパー面（６）を、前記周リブ（１４）の外周面と略等しいテーパー面構造とした請求項１、２、３、４または５記載の缶容器用物品収納キャップ。
【請求項７】
全体を透明もしくは半透明とした請求項１、２、３、４、５または６記載の缶容器用物品収納キャップ。
【請求項８】
全体を不透明とした請求項１、２、３、４、５または６記載の缶容器用物品収納キャップ。
【発明の詳細な説明】
【０００１】
【発明の属する技術分野】
本発明は、缶容器に着脱可能に組付いて、この缶容器に、つまみ等の食品や、フィギュア、ストラップ、プレミアム、ノベリティグッズ等のオモチャ雑貨である物品を安全に附帯させる缶容器用物品収納キャップに関するものである。
【０００２】
【従来の技術】
飲料用缶容器にオモチャ雑貨等の物品を一体的に附帯させて、この缶容器製品を販促させるべく、飲料用缶容器のカシメ成形されたカシメ頭部に着脱可能に組付く有頂円筒形状の物品収納キャップを設け、このキャップを、内部に物品を収納した状態で缶容器に装着することにより、缶容器に物品を一体的に附帯させるようにしたものがある（例えば、特許文献１参照。）。
【０００３】
【特許文献１】
実用新案登録番号第３０５１８７６号
【０００４】
【発明が解決しようとする課題】
しかしながら、上記した従来技術にあっては、キャップは、缶容器のカシメ成形されたカシメ頭部に外嵌する筒壁の内周面下端に、このカシメ頭部の周端縁に形成された周リブを乗り越えて下方から係止する、周突条状の係合爪を周設し、筒壁のカシメ頭部に対する外嵌と、係合爪の周リブに対する係止とにより、缶容器に対する組付きを確保する構成であるので、例えば積重ね等により、缶容器とキャップとの組合せ物に圧下荷重が作用すると、キャップ内に缶容器が過剰に侵入してしまい、これにより収納した物品が破損もしくは変形し、かつキャップの缶容器からの離脱が困難となる、と云う問題があった。
【０００５】
また、キャップの筒壁は、缶容器のカシメ頭部に略密に外嵌する内径寸法に成形されることにより、キャップの缶容器に対する組付き状態を安定するようにしていると思われるが、このためキャップ内部は略密閉された空間となり、冷やされた状態から常温雰囲気内に取り出されると、キャップ内に負圧が発生して、キャップの缶容器からの離脱が困難となる、と云う問題があった。
【０００６】
そこで、本発明は、上記した従来技術における問題点を解消すべく創案されたもので、缶容器に対するキャップの一定した組付き姿勢を安定に維持すると共に、雰囲気温度が変化しても、キャップの内外に圧力差を発生させないようにすることを技術的課題とし、もって作用する圧下荷重に対して、収納した物品を安全に保護すると共に、缶容器とキャップとの組合せ物および組付いたキャップ単体の良好な取扱いのし易さを維持することを目的とする。
【０００７】
【課題を解決するための手段】
上記技術的課題を解決する本発明の内、請求項１記載の発明の手段は、
円筒状の缶容器のカシメ固定されたカシメ頭部に被嵌状に着脱し、物品を収納する有頂円筒形状をした合成樹脂製一体成形物である、物品収納キャップであること、
缶容器のカシメ頭部の周端に形成された周リブの外径よりも僅かに大きい内径を有する筒壁の内周面下端部に、缶容器の周リブに、乗り越えて下方から係止する複数の係止突片を、周方向に沿って等間隔に設けること、
この係止突片の直上となる筒壁の内周面の全高さ範囲に亘って、係止突片が缶容器の周リブに係止した状態で、この周リブの上面に下端面を当接させ、大きな耐荷重強度を発揮する太さ寸法を有する複数の縦突条状の支柱片を、周方向に沿って等間隔に設けること、
にある。
【０００８】
この請求項１記載の発明にあっては、缶容器の周リブに対する係止突片の乗り越え係止により、缶容器に対して物品収納キャップ（以下、単にキャップと記す）を妄りに離脱しないように組付け、缶容器の周リブに対する支柱片の突き当りにより、缶容器に対するキャップの組付き限を、正確に規制する。
【０００９】
このように、缶容器の周リブに対して、キャップの係止突片が下方から係止すると共に、係止突片の直上に位置する支柱片が上方から突き当たるので、缶容器の周リブは、支柱片と係止突片とにより上下から挟持された状態となり、それゆえ缶容器に対するキャップの組付き状態は、きわめて安定したものとなる。
【００１０】
キャップの筒壁の内径は、缶容器の周リブの外径よりも僅かに大きいので、キャップが缶容器のカシメ頭部に外嵌した状態では、缶容器のカシメ頭部の外周面である周リブの外周面と、キャップの筒壁の内周面との間には、空気のリーク通路となる隙間が形成されることになり、このため缶容器に組付いたキャップ内が密閉状態となることはない。
【００１１】
キャップが缶容器に被嵌状に組付いた状態では、キャップの支柱片が、その下端面を缶容器の周リブ上面に当接させているが、この支柱片は、大きな耐荷重強度を発揮する太さ寸法を有していると共に、係止突片の直上となる筒壁の内周面の全高さ範囲に亘って設けられているので、キャップに加えられた圧下荷重を、直接缶容器に伝えて支持することになり、これにより強大な圧下荷重を、キャップを変形させることなく、強力に支持することになる。
【００１２】
請求項２記載の発明の手段は、請求項１記載の発明の構成に、キャップの支柱片を、各係止突片に対峙させて設けたこと、を加えたものである。
【００１３】
この請求項２記載の発明にあっては、各係止突片に支柱片を対峙させたので、全ての係止突片を、支柱片とによる周リブ挟持に機能させることができ、これにより缶容器に対するキャップの組付き状態が、より安定する。
【００１４】
請求項３記載の発明の手段は、請求項１または２記載の発明の構成に、キャップの支柱片の下端面を、着脱方向に直交する平坦面としたこと、を加えたものである。
【００１５】
この請求項３記載の発明にあっては、支柱片の下端面と缶容器の周リブ上面とが、可能な限り大きい面積で面接触し、またキャップに作用した圧下荷重に対する缶容器からの反力、すなわち缶容器の周リブから支柱片に作用する反力が、この支柱片の下端面に垂直に作用することになるので、各支柱片が、作用した圧下荷重の支持に有効に機能することになる。
【００１６】
請求項４記載の発明の手段は、請求項１、２または３記載の発明の構成に、支柱片の筒壁内周面からの突出高さを、缶容器の周リブの上面が当接する支柱片の下端面の箇所が、この下端面の中央から外側部分となる値に設定したこと、を加えたものである。
【００１７】
この請求項４記載の発明にあっては、缶容器の周リブの上面が、支柱片の下端面の中央から外側部分に当接するので、圧下荷重が長時間にわたって作用したとしても、支柱片の下端面が、内方に上昇傾斜する姿勢に変形し難く、これにより作用する圧下荷重により、筒壁が拡径変形する恐れは殆どなくなる。
【００１８】
請求項５記載の発明の手段は、請求項１、２、３または４記載の発明の構成に、筒壁と頂壁との連設部分である角部を、円弧状に角取りしたアール構造としたこと、を加えたものである。
【００１９】
この請求項５記載の発明にあっては、頂壁に作用する圧下荷重の一部を、角部のアール構造の弾性変形により吸収するので、キャップの耐圧下荷重強度が、より高められることになる。
【００２０】
請求項６記載の発明の手段は、請求項１、２、３、４または５記載の発明の構成に、装着状態で、缶容器の周リブの外周面に当接する係止突片の上テーパー面を、缶容器の周リブの外周面と略等しいテーパー面構造としたこと、を加えたものである。
【００２１】
この請求項６記載の発明にあっては、キャップの缶容器に対する装着状態では、缶容器の周リブに対して、各係止突片が、その上テーパー面で面接触することになるので、缶容器に対するキャップの組付き姿勢が一定して安定したものとなり、また各係止突片の周リブに対する係止状態が安定する。
【００２２】
請求項７記載の発明の手段は、請求項１、２、３、４、５または６記載の発明の構成に、キャップの全体を透明もしくは半透明としたこと、を加えたものである。
【００２３】
この請求項７記載の発明にあっては、キャップを離脱させることなく、収納されている物品を視認することができるので、この収納した物品に装飾効果を発揮させることができると共に、物品の確認により、販促が得られる。
【００２４】
請求項８記載の発明の手段は、請求項１、２、３、４、５または６記載の発明の構成に、キャップ全体を不透明としたこと、を加えたものである。
【００２５】
この請求項８記載の発明にあっては、収納する物品を光線から保護することができると共に、収納されている物品がキャップにより完全に隠蔽されるので、缶容器からキャップを離脱させるまで、どのような物品が収納されているのか、と云う楽しみを生じる。
【００２６】
【発明の実施の形態】
以下、本発明の一実施例を、図面を参照しながら説明する。
図中１は、本発明による合成樹脂製一体成形物である物品収納キャップ（以下、単にキャップと記す）で、短円筒形状をした筒壁２の上端に頂壁３を一体に連設して有頂円筒形状に構成され、筒壁２と頂壁３との連設部分である角部４は、角取りしたアール構造となっている。
【００２７】
筒壁２は、後述する缶容器１２のカシメ頭部１３の外径、すなわち周リブ１４の外径よりも僅かに大きい内径を有しており、この筒壁２の内周面下端部に、複数個（図示実施例の場合、４個）の係止突片５を、周方向に沿って等間隔に突設すると共に、各係止突片５の直上の筒壁２内周面箇所に、この筒壁２内周面の全高さ範囲に亘って、大きな耐荷重強度を発揮する太さ寸法を有する、縦突条状の支柱片８を設けている。
【００２８】
各係止突片５は、やや横長となっていて、上面および下面を、それぞれ上テーパー面６および下テーパー面７としているが、上下方向、すなわちキャップ１の缶容器１１に対する着脱方向に沿って、上テーパー面６は、緩やかなテーパー角度に設定されているのに対し、下テーパー面７は、急なテーパー角度に設定されている。
【００２９】
各支柱片８は、その下端面９を、キャップ１の缶容器１１に対する着脱方向に対して直交する平坦面としており、キャップ１が缶容器１１に装着された状態で、缶容器１１に対して、支柱片８が、できるだけ大きな接触面積で当接するようにしている。
【００３０】
アルミまたは鉄製の缶容器１１は、有底円筒形状をした缶本体１２の上端に、プルタブ構造のカシメ頭部１３を、密に巻き締めてカシメ固定したもので、この巻き締めによるカシメ固定により、カシメ頭部１３の周端には周リブ１４が周設されることになる。
【００３１】
なお、図示省略したが、カシメ頭部１３には、破断用スコア線により注出口を形成する押込み式の蓋部が区画形成されており、この蓋部に設けたタブを引上げて蓋部を下方に押込むことにより、破断用スコア線が破断されて、注出口が開口され、これにより缶容器１１内に収納した飲料液を注出することができる。
【００３２】
この缶容器１１の周リブ１４の外周面は、図５に示すように、その上面側部分と下面側部分とがそれぞれテーパー面構造となっていて、缶容器１１の中心軸芯方向（キャップ１の缶容器１１に対する着脱方向と同じ）に対して、上面側部分のテーパー角度は急となっているのに対して、下面側部分のテーパー角度は緩やかとなっている。
【００３３】
この缶容器１１の周リブ１４に対して、キャップ１の各係止突片５は、その上テーパー面６のテーパー角度を、周リブ１４の下面側部分のテーパー角度と略等しい値に設定しており、これによりキャップ１が缶容器１１に装着された状態では、各係止突片５が周リブ１４に面接触した状態で、係止するようにしている。
【００３４】
このように、周リブ１４の外周面下面側部分のテーパー角度が比較的緩やかであるので、周リブ１４に対するキャップ１の筒壁２の係止組付きが、その組付き強度が強大となりがちな外嵌係止であっても、周リブ１４に対する筒壁２の係止組付き強度を過剰に強大化させないですみ、これにより缶容器１１に対するキャップ１の組付き強度を適正に設定するのが容易となる。
【００３５】
この缶容器１１に対するキャップ１の係止組付き強度の設定の手段例としては、係止突片５の突出高さを変更設定する等の手段があるが、基本的のは、係止突片５の突出高さを基準値に設定した状態で、係止突片５の横幅を増減させて、係止突片５の周リブ１４に対する係止力を増減調整するのが有効である。
【００３６】
なお、係止突片５の下テーパー面７のテーパー角度が比較的急であるので、キャップ１を缶容器１１に装着させる際に、やや大きな押込み操作力を要することになるが、キャップ１の缶容器１１への装着操作は、缶容器１１を不動箇所（作業台上面等）に置いて行うことができるので、その作業は容易である。
【００３７】
キャップ１が缶容器１１に装着された状態で、周リブ１４の上面に下端面９を当接させる支柱片８は、その筒壁２内周面からの突出高さを、周リブ１４の上面が下端面９の中央から外側にかけての部分に当接する値に設定されている。
【００３８】
このように、周リブ１４の上面を、支柱片８の下端面９の中央から外側にかけての部分に当接させるので、キャップ１に作用する圧下荷重に対する周リブ１４からの反力により、支柱片８の下端面９が、内方に上り傾斜する姿勢に変形するのを困難とし、これにより圧下荷重の支柱片８による安定した支持と、筒壁２下端部の不正な拡径変形の発生の防止とを達成する。
【００３９】
キャップ１の缶容器１１への装着は、カシメ頭部１３上に物品１０を載置した状態で、キャップ１をカシメ頭部１３に上方から被嵌状に押込んで、各係止突片５を周リブ１４に乗り越え係止させると共に、各支柱片８の下端面９を周リブ１４の上面に当接（図４参照）させて、達成する。
【００４０】
以下、内容量３５０ｍｌのアルミ製ツーピス缶用に製作した、キャップ１の一実施例を説明する。
【００４１】
このキャップ１は、ＩＤＥＭＩＴＳＵ  ＰＰ  Ｊ−２０２１ＧＲを材料として射出成形したもので、全体がやや白濁した透明となっており、筒壁２、頂壁３そして角部４の肉厚は１．５ｍｍと均一で、筒壁２は、その高さが２２ｍｍ、外径が６２．５ｍｍ、内径が５９．５ｍｍ（なお、周リブ１４の外径は５９．０ｍｍである）であり、角部４は、外表面の曲率半径が５ｍｍ、内表面の曲率半径が３．５ｍｍとなっている。
【００４２】
四つ設けられた係止突片５は、突出高さが０．８８ｍｍ、高さ幅が３．２８ｍｍ、そして横幅が９ｍｍであり、上テーパー面６の平均テーパー角度は２６°で、この角度を曲率半径５ｍｍの曲面で形成し、下テーパー面７の平均テーパー角度は１１２°で、この角度を曲率半径０．７ｍｍの曲面で形成し、そして係止突片５の突出端は０．３ｍｍの曲面となっている。
【００４３】
同じく四つ設けられた支柱片８は、突出高さが２ｍｍ、幅が３ｍｍであり、キャップ１が缶容器１１に装着された状態で、周リブ１４の上端面が、下端面９の中央に当接する。
【００４４】
このキャップ１を缶容器１１に装着して、缶容器１１を不動な平面上に正立姿勢で置いた状態で、キャップ１に圧下荷重を試験速度１０ｍｍ／ｍｉｎで加えた破壊試験を行ったところ、キャップ１は、平均して１３８ｋｇｆで、筒壁２の下端部を拡径変形させて、支柱片８が缶容器１１の周リブ１４の外側に位置してしまうまで、缶容器１１が押込まれてしまう破壊状態となった。
【００４５】
この破壊試験の結果からすると、キャップ１を装着した複数の缶容器１１をダンボールに入れて、積重した状態で、運送または格納した際、一つの缶容器１１に作用する荷重が、大きくてもせいぜい５０〜６０ｋｇｆ程度であることから、キャップ１は荷重に対して高い安全性を発揮することができる。
【００４６】
【発明の効果】
本発明は、上記した構成となっているので、以下に示す効果を奏する。
請求項１記載の発明にあっては、缶容器の周リブに対して、係止突片が下方から係止すると共に、支柱片が上方から突き当たるので、缶容器の周リブを、支柱片と係止突片とにより上下から挟持する状態となり、それゆえ缶容器に対するケースの組付き状態がきわめて安定し、もって振動等により妄りに外れると云う不都合の発生は殆どない。
【００４７】
また、缶容器の周リブの外周面と、キャップの筒壁の内周面との間には、空気のリーク通路となる隙間が形成されるので、缶容器に組付いたキャップ内が密閉状態となることはなく、このためキャップ付き缶容器を冷蔵庫等で冷却しても、キャップ内に負圧が発生する恐れは全くなく、もってあらゆる状況下で、キャップの良好な着脱処理を得ることができる。
【００４８】
さらに、支柱片が大きな耐圧下荷重強度を発揮するので、強大な圧下荷重を、キャップを変形させることなく、強力に支持することになり、これにより積重した状態でのキャップ付き缶容器の運送および格納を、安全で行い易いものとすることができる。
【００４９】
請求項２記載の発明にあっては、各係止突片に支柱片を対峙させたので、全ての係止突片を、支柱片とによる周リブ挟持に機能させることができ、これにより缶容器に対するキャップの組付き状態を、より安定したものとすることができる。
【００５０】
請求項３記載の発明にあっては、キャップの各支柱片が、作用した圧下荷重の支持に有効に機能するので、キャップの耐圧下荷重強度を効果的に高めることができる。
【００５１】
請求項４記載の発明にあっては、缶容器の周リブの上面が、支柱片の下端面の中央から外側部分に当接するので、圧下荷重が長時間にわたって作用したとしても、支柱片の下端面が、内方に上昇傾斜する姿勢に変形し難く、これにより作用する圧下荷重により、筒壁が拡径変形する恐れは殆どなく、長期間に亘ってキャップの強い耐圧下荷重強度を維持することができる。
【００５２】
請求項５記載の発明にあっては、頂壁に作用する圧下荷重の一部を、角部のアール構造の弾性変形により吸収するので、キャップの耐圧下荷重強度を、より高めることができる。
【００５３】
請求項６記載の発明にあっては、キャップの各係止突片が缶容器の周リブに、その上テーパー面で面接触することになるので、缶容器に対するキャップの組付き姿勢が一定して安定したものとなり、また各係止突片の周リブに対する係止状態が安定するので、缶容器に対するキャップの組付きを、不動に一定して安定したものとすることができる。
【００５４】
請求項７記載の発明にあっては、キャップに収納した物品に装飾効果を発揮させることができると共に、物品の確認により、商品としての缶容器の販促が得られる。
【００５５】
請求項８記載の発明にあっては、キャップに収納した物品を光線から保護することができるので、光線の照射を嫌う物品を安全に収納することができ、また缶容器からキャップを離脱させるまで、どのような物品が収納されているか、と云う期待を持つ楽しみが得られる。
【図面の簡単な説明】
【図１】本発明の第１実施例を示す、全体平面図。
【図２】図１に示した実施例の、半縦断正面図。
【図３】図１に示した実施例の、全体底面図。
【図４】図１に示した実施例の、缶容器に装着した状態の縦断正面図。
【図５】図４に示した図面の、一部拡大縦断面図。
【符号の説明】
１    ；  物品収納キャップ
２    ；  筒壁
３    ；  頂壁
４    ；  角部
５    ；  係止突片
６    ；  上テーパー面
７    ；  下テーパー面
８    ；  支柱片
９    ；  下端面
１０  ；  物品
１１  ；  缶容器
１２  ；  缶本体
１３  ；  カシメ頭部
１４  ；  周リブ
【図１】
2004237998.tif 000003
【図２】
2004237998.tif 000004
【図３】
2004237998.tif 000005
【図４】
2004237998.tif 000006
【図５】
2004237998.tif 000007